(57)【要約】【課題】枠体の小型化を図ることにより、パネルユニットを小型軽量化すること、カーテンウォールの設計の自由度を広げること、枠体の見付け寸法を小さくしてカーテンウォールの外観意匠性を改善することができるカーテンウォールを提供する。【解決手段】本発明のカーテンウォール１２は、排水経路である等圧空間部２４を、既存部品である、中空角材の連結部材１６に備えている。すなわち、連結部材１６の中空部を等圧空間部２４として利用している。これにより、縦材４８の小型化を図ることができる。よって、本発明のカーテンウォール１２によれば、ガラスパネルユニット１０を小型軽量化でき、カーテンウォール１２の設計の自由度が広がり、縦材４８の見付け寸法を小さくしてカーテンウォール１２の外観意匠性を改善できる。【選択図】図３
2014177821.tif 000002
【特許請求の範囲】
【請求項１】
パネル材の辺部に枠体が装着された複数枚のパネルユニットが、少なくとも左右方向に連設されるとともに、隣接する前記パネルユニットの対向する一対の前記枠体が連結部材によって連結されてなるカーテンウォールにおいて、
前記連結部材に外気と連通した等圧空間部を備えたことを特徴とするカーテンウォール。
【請求項２】
前記対向する前記一対の枠体の間の隙間であって、室外側に位置する第１のシール部材と室内側に位置する第２のシール部材とにより囲まれた前記隙間が、前記連結部材に形成された通気孔を介して前記等圧空間部に連通される請求項１に記載のカーテンウォール。
【請求項３】
前記枠体は、前記パネル材の縦辺部に装着される縦材であり、
前記連結部材は、前記縦材に沿って配置され、
前記等圧空間部に連通した空気取入孔が、前記パネルユニットの下辺部が装着される下側部材に備えられる請求項２に記載のカーテンウォール。
【請求項４】
前記パネルユニットの上辺部が装着される上側部材、または、前記下側部材に備えられる前記空気取入孔と前記連結部材を通気部品により連通させた請求項３に記載のカーテンウォール。
【発明の詳細な説明】
【技術分野】
【０００１】
本発明は、カーテンウォールに関する。
【背景技術】
【０００２】
カーテンウォールは、建物の壁面に、複数枚のパネルユニットを左右方向、及び／又は上下方向に連設することによって構成される。また、前記パネルユニットは、矩形状のガラスパネルの辺部に枠体を、シール材やバッカー等を介して組み付けることにより構成される。
【０００３】
特許文献１に開示されたカーテンウォールは、ガラスパネルユニットの縦材及び横材（枠体）の室外側に、レインバリア用のシール材（以下、レインバリアと称する）が設けられ、前記縦材の室内側には、ウインドバリア用のシール材（ウインドバリアと称する）が設けられている。
【０００４】
このようなカーテンウォールでは、等圧空間部を備えることによって、外気と等圧空間部の気圧が略等しくなるので、レインバリアのシール部分から雨水が浸入し難くなるという利点がある。すなわち、特許文献１のカーテンウォールでは、隣接するガラスパネルユニットの対向する一対の縦材、レインバリアのシール部分、及びウインドバリアのシール部分によって包囲された空間を外気に連通させて、外気と略等圧の等圧空間部とすることで、圧力差による雨水の浸入を起きにくくしている。また、圧力差以外の要因による雨水の浸入を防ぐため、雨水の進入経路及び通気経路には、等圧空間内への雨水拡散を有効に防止できるレインバリアが設置されており、これらによりカーテンウォールの水密性を確保している。
【０００５】
等圧空間部は、カーテンウォールの例えば天井側サッシと床側サッシに備えられた空気取入孔兼排水孔に連通され、やむを得ず等圧空間部に浸入した雨水は等圧空間部から空気取入孔兼排水孔を介して適切に外部に排水される。等圧空間部は、カーテンウォールの施工においてオープンジョイント方式の構成として知られており、前記空気取入孔兼排水孔を介して空気が外部と等圧空間部との間を容易に移動できる構造となっている。
【０００６】
特許文献１のカーテンウォールでは、前記等圧空間部を画成する分だけ縦材が、ガラスパネルユニットのガラス面に対して直交する方向に延出された形状となっている。
【０００７】
また、特許文献１には開示されていないが、前記対向する一対の縦材は、室内側の端縁部において連結部材によって連結される場合が多い。これによって、隣接するガラスパネルユニットが左右方向に連設される。前記連結部材としては、軽量で剛性のある中空の角材が一般的に使用される。
【０００８】
なお、連結部材は、前記対向する一対の縦材の間の隙間を封止するものであり、特に防火性能を有するガラスパネルユニットの形態に多用されるものである。
【先行技術文献】
【特許文献】
【０００９】
【特許文献１】特開平７−１８０２４６号公報
【発明の概要】
【発明が解決しようとする課題】
【００１０】
しかしながら、等圧空間部を枠体に備える特許文献１のカーテンウォールでは、等圧空間部の大きさの分だけ縦材が大型になる。これにより、特許文献１のカーテンウォールは、パネルユニットが大型で重量物になる、カーテンウォールの設計に制約を受ける、縦材の見付け寸法が大きくなるのでカーテンウォールの外観意匠性が悪くなるという問題があった。また一方、等圧空間部を小さくすると、外気と等圧空間部の圧力差が生じ、レインバリアのシール部分から雨水が浸入し易くなるという問題があった。
【００１１】
本発明は、このような事情に鑑みてなされたもので、等圧空間部を備えるカーテンウォールであって、枠体の小型化を図ることにより、パネルユニットを小型軽量化すること、カーテンウォールの設計の自由度を広げること、枠体の見付け寸法を小さくしてカーテンウォールの外観意匠性を改善することができるカーテンウォールを提供することを目的とする。
【課題を解決するための手段】
【００１２】
本発明は、前記目的を達成するために、パネル材の辺部に枠体が装着された複数枚のパネルユニットが、少なくとも左右方向に連設されるとともに、隣接する前記パネルユニットの対向する一対の前記枠体が連結部材によって連結されてなるカーテンウォールにおいて、前記連結部材に外気と連通した等圧空間部を備えたことを特徴とするカーテンウォールを提供する。
【００１３】
本発明の一態様のカーテンウォールは、通気経路である等圧空間部を、既存部品である連結部材に備えている。連結部材の等圧空間部を必要量確保することにより、枠体間の等圧空間部、あるいはガラスパネル材と枠体及びガラスパネルの気密材により構成されるガラスパネル周りの等圧空間部を小さく設計した場合でも、この連結部材の等圧空間部を経由して各枠体間の等圧空間部あるいはガラスパネル周りの等圧空間部を外気と連通させることにより、外気と各々の等圧空間部の気圧が略等しくなるので、レインバリアのシール部分から雨水が浸入し難くすることができる。これにより、本発明の一態様のカーテンウォールは、枠体に等圧空間部を備えた特許文献１のカーテンウォールを比較して、枠体の小型化を図ることができる。よって、本発明の一態様のカーテンウォールによれば、パネル材と枠体とからなるパネルユニットを小型軽量化でき、カーテンウォールの設計の自由度が広がり、枠体の見付け寸法を小さくしてカーテンウォールの外観意匠性を改善できる。また、本発明の一態様のカーテンウォールによれば、枠体を小型軽量化できるので、カーテンウォールの施工性も向上し、室内空間の利用率も高くなる。更に、枠体と連結部材とによる構造強度の分担率を、連結部材側を高くして、その分だけ枠体側の分担率を小さくすることもできる。つまり、カーテンウォールの設計の自由度が広がる。
【００１４】
本発明の一態様は、前記対向する前記一対の枠体の間の隙間であって、室外側に位置する第１のシール部材と室内側に位置する第２のシール部材とにより囲まれた前記隙間が、前記連結部材に形成された通気孔を介して前記等圧空間部に連通されることが好ましい。
【００１５】
本発明の一態様によれば、第１のシール部材と室内側に位置する第２のシール部材とにより囲まれた隙間も、連結部材の等圧空間部を介して外気に連通される。すなわち、前記隙間は、等圧空間部、およびカーテンウォールに備えられた空気取入孔を介して外気に連通される。
【００１６】
また、第１のシール部材によるシール部を介して隙間に浸入した雨水は、等圧空間部から排水孔または空気取入孔兼排水孔を介して外部に排水される。これにより、本発明の一態様によれば、水密性が確保されたカーテンウォールを提供できる。
【００１７】
本発明の一態様は、前記枠体は、前記パネル材の縦辺部に装着される縦材であり、前記連結部材は、前記縦材に沿って配置され、前記等圧空間部に連通した空気取入孔が、前記パネルユニットの下辺部が装着される下側部材に備えられることが好ましい。また、上辺部が装着される上側部材にも備えてもよい。
【００１８】
本発明の一態様は、前記パネルユニットの上辺部が装着される上側部材、または、前記下側部材に備えられる前記空気取入孔と前記連結部材を通気部品により連通させることが好ましい。
【００１９】
なお、本発明のパネル材は１枚であってもよく、ビジョン部、スパンドレル部を有するパネルユニットの場合にはビジョン部用のパネル材とスパンドレル用のパネル材の２枚であってもよい。また、枠材の組み付け位置は、パネル材の一辺に限定されず二辺以上であってもよい。
【００２０】
本発明のパネル材としては、単板ガラス、強化ガラス、合わせガラス、複層ガラス等のガラス板の他、ポリカーボネート類やポリスチレン類等のいわゆる有機透明樹脂材等を例示できるが、連結部材を必要とする防火複層ガラスが好適である。また、アルミニウム等の金属材、セラミック材、プレキャストコンクリート材等を使用しても良い。
【発明の効果】
【００２１】
本発明のカーテンウォールによれば、等圧空間部を備えるものの、枠体の小型化を図ることができるため、パネルユニットを小型軽量化すること、カーテンウォールの設計の自由度を広げること、枠体の見付け寸法を小さくしてカーテンウォールの外観意匠性を改善することができる。
【図面の簡単な説明】
【００２２】
【図１】実施の形態に係るガラスパネルユニットによって構築されたガラスカーテンウォールを室外側から見た要部正面図
【図２】図１に示した等圧区画における空気の流れを模式的に説明した説明図
【図３】図１に示したカーテンウォールのＡ−Ａ線に沿う断面図
【図４】図３の断面図の片側のガラスパネルユニットを示した要部斜視図
【図５】従来のカーテンウォールの構造を示した要部水平断面図
【発明を実施するための形態】
【００２３】
以下、添付図面に従って本発明に係るカーテンウォールの好ましい実施の形態を詳説する。
【００２４】
〔ガラスカーテンウォール１２の構成〕
図１は、実施の形態に係るガラスパネルユニット（パネルユニット）１０、１０…によって構築されたガラスカーテンウォール１２を室外側から見た要部正面図である。また、図１には、等圧ジョイント方式が適用されたビルのガラスカーテンウォール１２が示されている。図１に示すガラスカーテンウォール１２は、複数枚のガラスパネルユニット１０、１０を左右方向、及び上下方向（不図示）に隣接配置して構築されている。
【００２５】
ガラスカーテンウォール１２において、図１中の斜線部が等圧ジョイント方式による等圧区画１４を示している。等圧区画１４は、隣接する２枚のガラスパネルユニット１０、１０を室内側で連結する連結部材１６（図３参照）、天井側サッシ（上側部材）１８、及び床側サッシ（下側部材）２０において、図示した工の字形状に備えられている。また、隣接する等圧区画１４、１４（図１には一つの等圧区画１４のみ図示）同士は、天井側サッシ１８と床側サッシ２０に配置された不図示の隔壁を介して仕切られており、等圧区画１４内での気流の発生が抑えられている。更に、ガラスパネルユニット１０の上辺部、下辺部は、天井側サッシ１８、床側サッシ２０に嵌め込まれ、これによって複数枚のガラスパネルユニット１０、１０…からなるガラスカーテンウォール１２が横連窓構造体として構築される。
【００２６】
〔等圧区画１４の構造〕
図２は、図１に示した等圧区画１４における空気の流れを模式的に説明した説明図である。図３は、図１に示したカーテンウォール１２のＡ−Ａ線に沿う断面図であり、図４は、図３の断面図の片側のガラスパネルユニット１０を示した要部斜視図である。
【００２７】
図２に示す等圧区画１４は、天井側サッシ１８の雨仕切りに空気取入孔２２、２２が備えられ、外気は矢印の如く、空気取入孔２２、２２を介して天井側サッシ１８のキャビティ（不図示）に導入され、図３に示す連結部材１６の等圧空間部２４に導入される。
【００２８】
等圧空間部２４は、長尺状の連結部材１６の全長に亘って備えられている。また、図２に示す床側サッシ２０の雨仕切りにも空気取入孔２６、２６が備えられ、外気はこれらの空気取入孔２６、２６を介して床側サッシ２０のキャビティ（不図示）に導入され、図３に示した連結部材１６の等圧空間部２４に導入される。すなわち、連結部材１６の全長に亘って備えられた等圧空間部２４は、空気の流れを示す図２の矢印の如く、空気取入孔２２、２２、２６、２６を介して外気と連通されるため、等圧空間部２４の内圧が外気と略等圧に維持される。
【００２９】
なお、天井側サッシ１８及び床側サッシ２０を使用せず、パネル材の上辺部及び下辺部に横材（上側部材、下側部材）を設けたパネルユニットによってカーテンウォールを構築する場合には、上下に隣接するパネルユニットの対向する一対の横材の間に空気取入口を設ければよい。この場合には、等圧空間部２４と前記空気取入口とを連通させる通気部品を前記横材に連結すればよい。また、空気取入口の位置は、前述した位置に限定されるものではなく、カーテンウォールの設計において好適な位置に選定されるものである。
【００３０】
〔ガラスパネルユニット１０の構成〕
図３、図４に示すようにガラスパネルユニット１０を構成するパネル材として、実施の形態では複層ガラスＧを例示している。複層ガラスＧは、対向する二枚のガラス板３０、３２がスペーサ３４を介して隔置されるとともに、二枚のガラス板３０、３２と対向するスペーサ３４の両側面が一次シール材３６、３８によって二枚のガラス板３０、３２にそれぞれ接着されている。これにより、二枚のガラス板３０、３２の間に中空層４０が形成される。また、一次シール材３６、３８の外側が二次シール材４２によって封止されている。
【００３１】
スペーサ３４としては、アルミニウムを主材質とする金属製のスペーサが用いられる場合が多いが、ステンレス材や硬質樹脂からなるものも使用される場合がある。スペーサ３４はその内部に中空部を有し、この中空部には粒状ゼオライト等の乾燥剤４４が充填されている。また、スペーサ３４には、前記中空部を中空層４０に連通させる貫通孔４６が開口されており、この貫通孔４６を介して中空層４０の空気が乾燥される。
【００３２】
また、複層ガラスＧの一次シール材３６、３８は、ガラス板との接着性が良好で透湿抵抗の高いブチル系シーリング材である。二次シール材４２は、ポリサルファイド、シリコーン、ウレタンなどの硬化性エラストマをベースとし、ガラスとの接着性を発現するために適当な変性を加えられたものなどが好適である。
【００３３】
このように構成された複層ガラスＧは、室内側に位置するガラス板３０が防火性ガラス板である網入りガラス板であり、室外側に位置するガラス板３２が一般的なソーダライムガラスに代表される非耐熱防火性ガラス板である。なお、ガラス板３０として耐熱強化ガラス、低膨張強化ガラス、透明結晶化ガラス等の別の耐熱防火性ガラス板を使用してもよい。すなわち、複層ガラスＧは防火複層ガラスである。
【００３４】
上記の如く構成された複層ガラスＧの縦辺部に、図３、図４に示したアルミニウム製の縦材（枠体）４８が工場にて予め組み付けられてガラスパネルユニット１０が構成されている。この縦材４８に沿って連結部材１６が配置されるとともに縦材４８にボルト等の締結部材によって固定される。
【００３５】
縦材４８が予め組みつけられたガラスパネルユニット１０の上辺部、下辺部をそれぞれ天井側サッシ１８、床側サッシ２０に嵌め込むことで、複数枚のガラスパネルユニット１０、１０…からなるガラスカーテンウォール１２が構築される。
【００３６】
〔等圧空間部２４の特徴〕
実施の形態のカーテンウォール１２は、通気経路である等圧空間部２４を、既存部品である、中空角状のパイプ材である連結部材１６に備えている。すなわち、連結部材１６の中空部を等圧空間部２４として利用している。
【００３７】
ここで、実施の形態のカーテンウォール１２と縦材に等圧空間部を備えた従来のカーテンウォールとを比較する。
【００３８】
図５は、前記従来のカーテンウォール１００の構造を示した要部水平断面図である。
【００３９】
図５のカーテンウォール１００は、隣接するガラスパネルユニット１０２、１０２の対向する一対の縦材１０４、１０４の間に等圧空間部１０６を備える。このため、縦材１０４は、等圧空間部１０６を画成する分だけ、ガラスパネルユニット１０２のガラス面に対して直交する方向（図５の矢印Ａで示す方向）に長くなったり、左右方向（図５の矢印Ｂで示す方向）に長くなったりして、大型になるという問題がある。縦材１０４と縦材１０４とは、その室内側端部で連結部材１０８によって連結される。符号１１０はレインバリア、符号１１２はウインドバリアである。すなわち、等圧空間部１０６は、対向する一対の縦材１０４、１０４と、レインバリア１１０と、ウインドバリア１１２とによって画成された空間である。
【００４０】
これに対して、図３に示した実施の形態のカーテンウォール１２では、図５に示したカーテンウォール１００と比較して、縦材４８（図３参照）のサイズを矢印Ａ、Ｂ方向において短くすることができる。よって、実施の形態のカーテンウォール１２によれば、ガラスパネルユニット１０を小型軽量化でき、カーテンウォール１２の設計の自由度が広がり、縦材４８の見付け寸法を小さくしてカーテンウォール１２の外観意匠性を改善できる。
【００４１】
また、実施の形態のカーテンウォール１２では、前述の如く縦材４８を小型軽量化できるので、カーテンウォール１２の施工性も向上し、室内空間の利用率も高くなる。更に、縦材４８と連結部材１６とによる構造強度の分担率を、連結部材１６の方を高くして、その分だけ縦材４８の分担率を小さくすることもできる。つまり、カーテンウォール１２の設計の自由度が広がる。
【００４２】
更にまた、実施の形態のカーテンウォール１２は、対向する一対の縦材４８、４８の間の隙間５０に、室外側に位置するレインバリア（第１のシール部材）５２、５２と室内側に位置するウインドバリア（第２のシール部材）５４、５４とが配置されている。そして、連結部材１６の等圧空間部２４は、連結部材１６の開口部５６を形成する通気部品を介して床側部材もしくは天井側部材に連通されるとともに、図２に示した空気取入孔２２、２２、２６、２６を介して外気に連通されている。
【００４３】
前記構成による実施の形態のカーテンウォール１２によれば、レインバリア５２、５２によるシール部、ウインドバリア５４、５４によるシール部、及び連結部材１６の開口部５６を介して等圧空間部２４に浸入した雨水は、等圧空間部２４から空気取入孔２２、２２を介して外部に排水される。これにより、実施の形態のカーテンウォール１２は、水密性が確実に確保されている。
【００４４】
すなわち、外気は、空気取入孔２２、２２又は空気取入孔２６、２６から、縦材４８に沿って配置された連結部材１６の等圧空間部２４に導入される。なお、前述したレインバリア５２とウインドバリア５４とは、それぞれの縦材４８に装着されるものである。
【００４５】
上述した実施の形態では、一枚の複層ガラスＧに縦材４８を組み付けたガラスパネルユニット１０を例示したが、これに限定されるものではなく、例えばビジョン部、スパンドレル部を有するガラスパネルユニットの場合には、二枚のガラス板に縦材４８を組み付けたガラスパネルユニットであってもよい。
【符号の説明】
【００４６】
１０…ガラスパネルユニット、１２…カーテンウォール、１４…等圧区画、１６…連結部材、１８…天井側サッシ、２０…床側サッシ、２２…空気取入孔、２４…等圧空間部、２６…空気取入孔、３０、３２…ガラス板、３４…スペーサ、３６、３８…一次シール材、４０…中空層、４２…二次シール材、４４…乾燥剤、４６…貫通孔、４８…縦材、５０…隙間、５２…レインバリア、５４…ウインドバリア、５６…開口部
【図１】
2014177821.tif 000003
【図２】
2014177821.tif 000004
【図３】
2014177821.tif 000005
【図４】
2014177821.tif 000006
【図５】
2014177821.tif 000007